(57)【要約】【課題】閉鎖状態で同一平面上に配置される２枚のガラス戸の一方のガラス戸を屋内側に移動させてからそれぞれのガラス戸を開放させるようにした開閉装置において、初期開放時の操作力の低減化を図ることである。【解決手段】窓枠１の内側に設けられた第１ガラス戸８と第２ガラス戸９の２枚のガラス戸のうち、第２ガラス戸９を屋内側に移動させることによって第１ガラス戸８と第２ガラス戸９とを左右方向に移動し得るようにした開閉装置において、窓枠１の下枠１ｂ上に第２ガラス戸９の戸先側端部をスライド自在に支持するガイド部材３２を設け、そのガイド部材３２を下枠１ｂに固定された固定ベース３１によって屋内側に向けてスライド自在に支持する。ガイド部材３２と固定ベース３１の相互間に係止手段５０を設け、その係止手段５０の係止解除時に、定荷重ばね３９の弾性力によりガイド部材３２を屋内側に移動させ、第２ガラス戸９を上記定荷重ばね３９の弾性力により傾斜状態として開放操作時の操作力の低減化を図る。【選択図】図１０
2008255613.tif 000002
【特許請求の範囲】
【請求項１】
窓枠の内側に、閉鎖状態において同一平面上に配置される２枚のガラス戸を設け、一方のガラス戸を他方のガラス戸に向けて引く操作により、その一方のガラス戸を屋内側に向けて斜め方向に移動させ、一方のガラス戸と他方のガラス戸とが屋内外に位置ずれする状態で２枚のガラス戸を左右方向に直線移動させて各ガラス戸を開放させるようにしたガラス戸の開閉装置において、前記窓枠の下枠上に一方のガラス戸における下端部の戸当り側端部および戸先側端部をスライド自在に支持する一対のガイド部材を設け、前記戸当り側端部を支持するガイド部材を前記下枠に固定し、戸先側端部を支持するガイド部材を前記下枠の上面に固定された固定ベースにより屋内側に向けてスライド自在に支持し、前記固定ベースとその固定ベースによってスライド自在に支持された可動のガイド部材間に、可動のガイド部材を屋内側に向けて付勢する弾性部材と、一方のガラス戸が閉鎖された状態で可動のガイド部材が弾性部材により屋内側に向けて移動するのを防止する係止手段とを設けたことを特徴とするガラス戸の開閉装置。
【発明の詳細な説明】
【技術分野】
【０００１】
この発明は、閉鎖状態において同一平面上に配置される２枚のガラス戸の開閉装置に関するものである。
【背景技術】
【０００２】
窓枠の屋内側にはめ殺しのガラス板を設け、そのガラス板の屋内側に閉鎖状態で同一平面上に配置される２枚のガラス戸を設け、その２枚のガラス戸の一方のガラス戸を他方のガラス戸に向けて引く操作により斜め方向に平行移動させ、一方のガラス戸と他方のガラス戸とが前後に位置ずれする状態で各ガラス戸を左右方向に移動させて開放状態とするガラス戸の開閉装置を本件出願人は特許文献１で既に提案している。
【特許文献１】特許第３４６６１７０号公報
【発明の開示】
【発明が解決しようとする課題】
【０００３】
ところで、上記特許文献１に記載されたガラス戸の開閉装置においては、一方のガラス戸を斜め方向に平行移動させる際の操作力は、左右方向と前後方向の２つの力に分力されるため、初期開放時に比較的大きな操作力を必要とし、その操作力の低減化を図るうえにおいて改善すべき点が残されていた。
【０００４】
この発明の課題は、初期開放時の操作力の低減化を図ることができるようにしたガラス戸の開閉装置を提供することである。
【課題を解決するための手段】
【０００５】
上記の課題を解決するために、この発明においては、窓枠の内側に、閉鎖状態において同一平面上に配置される２枚のガラス戸を設け、一方のガラス戸を他方のガラス戸に向けて引く操作により、その一方のガラス戸を屋内側に向けて斜め方向に移動させ、一方のガラス戸と他方のガラス戸とが屋内外に位置ずれする状態で２枚のガラス戸を左右方向に直線移動させて各ガラス戸を開放させるようにしたガラス戸の開閉装置において、前記窓枠の下枠上に一方のガラス戸における下端部の戸当り側端部および戸先側端部をスライド自在に支持する一対のガイド部材を設け、前記戸当り側端部を支持するガイド部材を前記下枠に固定し、戸先側端部を支持するガイド部材を前記下枠の上面に固定された固定ベースにより屋内側に向けてスライド自在に支持し、前記固定ベースとその固定ベースによってスライド自在に支持された可動のガイド部材間に、可動のガイド部材を屋内側に向けて付勢する弾性部材と、一方のガラス戸が閉鎖された状態で可動のガイド部材が弾性部材により屋内側に向けて移動するのを防止する係止手段とを設けた構成を採用したのである。
【発明の効果】
【０００６】
上記の構成から成るガラス戸の開閉装置において、係止手段の係止を解除すると、弾性部材の弾性力によって可動のガイド部材が屋内側に移動し、その移動によって一方のガラス戸の戸先側端部が屋内側に引かれるため、一方のガラス戸は戸先側が屋内側に位置する傾斜状態とされる。このため、一方のガラス戸を他方のガラス戸に向けて引くことにより、その操作力の殆んどが一方のガラス戸を左右方向に移動させる方向の力として作用し、初期開放時の操作力の低減化を図ることができる。
【０００７】
また、一方のガラス戸を閉鎖位置の近くまで戻して戸先側端部を屋外側に押し込み、一方のガラス戸が他方のガラス戸と同一平面上に配置される閉鎖状態で係止手段を作動させて可動のガイド部材を停止状態に保持することにより、一方のガラス戸は閉鎖位置にロックされるため、ロック金具を別途設ける必要がなく、ガラス戸の開閉装置のコストの低減を図ることができる。
【発明を実施するための最良の形態】
【０００８】
以下、この発明の実施の形態を図面に基づいて説明する。図１乃至図３に示すように、窓枠１は上枠１ａおよび下枠１ｂを有し、その両枠１ａ、１ｂ間の屋外側にガラス板２がはめ殺しされている。
【０００９】
上枠１ａの下方には、前記ガラス板２の屋内側にその上枠１ａに平行するハンガレール３が設けられている。ハンガレール３は複数のＬ形のブラケット４を介して上枠１ａに連結されている。
【００１０】
ハンガレール３は、フロントプレート３ａの上側にトッププレート３ｂを設け、そのトッププレート３ｂの後側に下向きにリアプレート３ｃを設けた断面コの字形をなし、上記リアプレート３ｃの内面には左右方向に長い第１ガイド溝５が形成されている。一方、トッププレート３ｂの下面には第１ガイド溝５に平行する第２ガイド溝６と、その第２ガイド溝６の前部に第３ガイド溝７が設けられている。
【００１１】
ハンガレール３と、窓枠１の下枠１ｂ間には第１および第２ガラス戸８、９が設けられている。２枚のガラス戸８、９は、閉鎖状態において同一の平面上に位置する配置とされている。一方の第１ガラス戸８の両側上部にはそれぞれハンガ１０が固定されている。ハンガ１０はガイドローラ１１を上部に有し、そのガイドローラ１１は第１ガイド溝５に沿って移動可能とされている。このため、第１ガラス戸８は第１ガイド溝５に沿って左右方向に直線移動し得るようになっている。
【００１２】
他方の第２ガラス戸９の両側上部にはそれぞれハンガ１２が取付けられている。図６に示すように、ハンガ１２の上部にはアーム１３の一端部が回転自在に連結され、アーム１３の他端部は、第２ガイド溝６に沿って移動可能なランナ１４に連結されている。ランナ１４には第２ガイド溝６に案内される複数のガイドローラ１５が回転自在に支持されている。
【００１３】
アーム１３の一端部には上側に突出するガイドピン１６が設けられている。図４および図６に示すように、ガイドピン１６は、第２ガラス戸９の閉鎖状態においてハンガレール３のトッププレート３ｂの下面に取付けられたガイドブロック１７のガイド溝１８内に嵌合されている。
【００１４】
ガイド溝１８は、第２ガイド溝６と第３ガイド溝７に渡る傾斜路１８ａの一端に前記第２ガイド溝６と同一線上に配置される第１水平路１８ｂを設け、かつ傾斜路１８ａの他端に第３ガイド溝７に連通する第２水平路１８ｃを形成しており、前記第２ガラス戸９の閉鎖状態において、ガイドピン１６は第１水平路１８ｂに配置される。
【００１５】
図１に示すように、下枠１ｂの上側には、第２ガラス戸９における下端部の戸当り側端部と対向する位置にガイド部材２０と、戸先側端部と対向する位置に引き寄せ具３０とが設けられている。
【００１６】
ガイド部材２０は、下枠１ｂに固定されている。図７（イ）に示すように、このガイド部材２０には第２ガラス戸９の下端部がスライド自在に嵌合されるガイド溝２１が形成されている。ガイド溝２１は両端に向けて溝幅が次第に広くなり、そのガイド溝２１内に第２ガラス戸９の下端部が嵌合する状態でその第２ガラス戸９が所定角度傾動し得るようになっている。
【００１７】
上記ガイド部材２０は、図１に示すように、第１ガラス戸８と、下枠１ｂとの間にも設けられて第１ガラス戸８をスライド自在に案内している。
【００１８】
図１０乃至図１５は、引き寄せ具３０の詳細を示す。この引き寄せ具３０は、固定ベース３１と、その固定ベース３１上に設けられたガイド部材３２と、上記固定ベース３１にねじ止めされてガイド部材３２の屋外側端部を覆うカバー３３とを有している。
【００１９】
固定ベース３１は下枠１ｂに固定され、その固定ベース３１によってガイド部材３２が屋内方向に向けてスライド自在に支持されている。
【００２０】
ガイド部材３２のスライド量は、固定ベース３１との間に設けた規制手段３４によって規制される。規制手段３４は、固定ベース３１の上面に突設された左右一対のガイドピン３５と、ガイド部材３２の下面に設けられて上記ガイドピン３５が挿入された平行２条の長孔３６とから成り、上記長孔３６の両端がガイドピン３５に当接する範囲においてガイド部材３２はスライドし得るようになっている。
【００２１】
ガイド部材３２の上面には、第１ガラス戸８の下端部をスライド自在に案内する第１ガイド溝３７と、第２ガラス戸９をスライド自在に案内する第２ガイド溝３８がガイド部材３２のスライド方向に間隔をおいて設けられ、第１ガイド溝３７はガイドピン３５に長孔３６の後端が当接するガイド部材３２の前進停止状態で閉鎖状態の第１ガラス戸８の戸先側端面と左右方向で対向するようになっている。
【００２２】
第２ガイド溝３８は両端に向けて拡がりをもち、その第２ガイド溝３８内で第２ガラス戸９が所定角度傾動し得るようになっている。
【００２３】
ガイド部材３２は弾性部材としての定荷重ばね３９により屋内側に向けて付勢されている。定荷重ばね３９は帯状の板ばねから成る。この定荷重ばね３９はコイル状に巻かれてくせ付けされ、そのコイル部３９ａがガイド部材３２の屋外側端部の空間部４０内に組込まれてガイド部材３２に支持されたロール４１の外周により支持され、上記コイル部３９ａから引き出された先端部が固定ベース３１の上面に固定されている。
【００２４】
上記定荷重ばね３９はコイル部３９ａが先端部を巻取る作用によってガイド部材３２を屋内側に向けて付勢するようになっている。
【００２５】
ガイド部材３２は、固定ベース３１との間に設けた係止手段５０によって屋外側に押し込まれた後端位置に停止保持される。
【００２６】
係止手段５０は、ガイド部材３２の屋内側端面から第２ガイド溝３８に貫通する孔５１内に回転子５２を組込んで回転自在に支持し、その回転子５２に係合片５３を固定し、一方、固定ベース３１には上記係合片５３が係合可能な係合孔５４を設け、上記回転子５２を専用工具により回転し、係合孔５４に対する係合片５３の係合によってガイド部材３２を後退位置で停止保持するようにしている。
【００２７】
実施の形態で示すガラス戸の開閉装置は上記の構造から成り、第１ガラス戸８および第２ガラス戸９の開放に際しては、図１０および図１１に示す係止手段５０の回転子５２を回転し、係合孔５４と係合片５３の係合を解除した後、第２ガラス戸９を第１ガラス戸８に向けて引き寄せる。
【００２８】
いま、回転子５２の回転によって係合孔５４と係合片５３の係合を解除すると、定荷重ばね３９の弾性力によりガイド部材３２は図１３に示すように、長孔３６の後端がガイドピン３５に当接するまで屋内側に向けて移動する。
【００２９】
このとき、第２ガラス戸９の戸先側の端部は、ガイド部材３２に形成された第２ガイド溝３８内にスライド自在に嵌合されているため、ガイド部材３２の移動により、第２ガラス戸９の戸先側端部は屋内側に引き寄せられる。その引き寄せ時、第２ガラス戸９の戸先側端部を吊下げ支持するアーム１３の一端部のガイドピン１６はガイド溝１８に沿って移動して第２水平路１８ｃの位置まで移動し、第２ガラス戸９は図７（イ）の実線で示すように、戸先側端部が屋内側に位置する傾斜状態とされる。
【００３０】
そこで、第２ガラス戸９を第１ガラス戸８に向けて引き寄せると、第２ガラス戸９の戸当り側端部を吊下げ支持するアーム１３の一端部のガイドピン１６がガイドブロック１７のガイド溝１８に沿って移動して第２水平路１８ｃの位置まで移動する。このため、図７（イ）の鎖線ａで示すように、第２ガラス戸９は第１ガラス戸８と平行する状態に保持されると共に、第１ガラス戸８と第２ガラス戸９は前後に位置がずれる状態とされる。
【００３１】
そこで、第２ガラス戸９を図７（イ）に示す状態から左側に向けて引くと、ランナ１４が第２ガイド溝６に沿って移動すると共に、図９に示すようにガイドピン１６が第３ガイド溝７に沿って移動し、図８（ロ）で示すように、第２ガラス戸９を開放状態とすることができる。
【００３２】
また、引き寄せ具３０のガイド部材３２が屋内側に移動することによって、図８（ロ）に示すように、そのガイド部材３２に設けられた第１ガイド溝３７が第１ガラス戸８の戸先側端部と左右で対向する状態とされるため、第１ガラス戸８を同図の右側に向けて引くと、第１ガラス戸８を吊下げ支持するハンガ１０が第１ガイド溝５に沿って移動し、第１ガラス戸８を開放させることができる。
【００３３】
上記のように、係止手段５０の係止を解除すると、ガイド部材３２が屋内側に移動して第２ガラス戸９が傾斜状態とされるため、その第２ガラス戸９を比較的小さな操作力によって開放させることができる。
【００３４】
ここで、第１ガラス戸８および第２ガラス戸９の閉鎖に際しては、第１ガラス戸８を閉鎖状態としたのち、第２ガラス戸９を閉鎖状態とする。第２ガラス戸９に操作力を付与して閉鎖状態に戻すと、その閉鎖位置の少し手前の位置において、戸当り側端部を吊下げ支持するアーム１３のガイドピン１６がガイド溝１８に案内されるため、第２ガラス戸９は図７（イ）の鎖線ａで示すように傾斜状態とされ、その戸先側端部を屋外に向けて押すと、第２ガラス戸９が閉鎖状態とされる。また、引き寄せ具３０のガイド部材３２は屋外側に向けて移動する。
【００３５】
ガイド部材３２が後端位置まで移動して停止する状態で回転子５２を回転し、係合片５３を係合孔５４に係合させると、ガイド部材３２が後退位置に停止保持される。
【００３６】
このとき、第２ガラス戸９は第１ガラス戸８と同一平面上に保持されて開放させることができず、引き寄せ具３０は第２ガラス戸９を閉鎖状態に保持するロック金具としての役目も果すため、ロック金具を別途設ける必要がなくなり、ガラス戸開閉装置のコストの低減を図ることができる。
【図面の簡単な説明】
【００３７】
【図１】この発明に係る屋内側ガラス戸の開閉装置の実施の形態を示す正面図
【図２】図１のII−II線に沿った断面図
【図３】図１のIII−III線に沿った断面図
【図４】図１のIV−IV線に沿った断面図
【図５】図１のＶ−Ｖ線に沿った断面図
【図６】図１におけるガラス戸の吊下げ支持部を示す一部切欠正面図
【図７】（イ）、（ロ）は図１に示す第２ガラス戸を斜め後方に移動させた状態を示す横断平面図
【図８】（イ）、（ロ）は図７に示す第２ガラス戸の開放状態を示す横断平面図
【図９】第２ガラス戸の開放状態における縦断側面図
【図１０】引き寄せ具の横断平面図
【図１１】図１０のXI−XI線に沿った断面図
【図１２】図１０のXII−XII線に沿った断面図
【図１３】ガイド部材が屋内側に移動した状態の横断平面図
【図１４】図１３のXIV−XIV線に沿った断面図
【図１５】引き寄せ具の分解斜視図
【符号の説明】
【００３８】
１    窓枠
１ｂ  下枠
８    第１ガラス戸
９    第２ガラス戸
２０  ガイド部材
３１  固定ベース
３２  ガイド部材
３９  定荷重ばね（弾性部材）
５０  係止手段
【図１】
2008255613.tif 000003
【図２】
2008255613.tif 000004
【図３】
2008255613.tif 000005
【図４】
2008255613.tif 000006
【図５】
2008255613.tif 000007
【図６】
2008255613.tif 000008
【図７】
2008255613.tif 000009
【図８】
2008255613.tif 000010
【図９】
2008255613.tif 000011
【図１０】
2008255613.tif 000012
【図１１】
2008255613.tif 000013
【図１２】
2008255613.tif 000014
【図１３】
2008255613.tif 000015
【図１４】
2008255613.tif 000016
【図１５】
2008255613.tif 000017